(57)【要約】【課題】従来、橋梁の脚、梁、桁、欄干等の塗装する場合には、刷毛塗りによる方法が採用されている。従って、人手と、膨大な時間を要する問題があり、その改良が望まれている。尚、他の塗装で使用されているスプレーガンによる方法もあるが、機具・人・物の静電気除去を確実に行うには、問題があった。【構成】本発明は、橋梁の脚、梁、桁、欄干等の塗装箇所を囲繞し、この囲繞した空間にアースボックスを配置し、一方側の端子群は囲繞した空間部に配備した塗装機材及び人が接触できるアース棒等の静電気除去用のリード線を接続し、他方側の端子群は地中又は次のアースボックスの他方側に接続し、滞留する静電気を除去しながら塗装する構成とした橋梁の塗装装置。【選択図】    図１
2005319400.tif 000002
【特許請求の範囲】
【請求項１】
橋梁の脚、梁、桁、欄干等の塗装箇所を囲繞し、この囲繞した空間部にアースボックスを配置し、このアースボックスの一方側の端子群には、前記囲繞した空間部に配備した多数の塗装機材及び／又は人が接触できるアース棒等の静電気除去用のリード線を接続し、また前記アースボックスの他方側の端子群には、地中及び／又は次のアースボックスの他方側に接続したリード線を接続し、前記一方側の端子群と他方側の端子群とを接続し、前記多数の塗装機材及び／又は人に滞留する静電気を除去しながら塗装する構成とした橋梁の塗装装置。
【請求項２】
請求項１に記載の塗装箇所は、橋梁の桁とする構成とした橋梁の塗装装置。
【請求項３】
請求項１に記載の塗装装置の一方側・他方側の端子群を、それぞれ二連形式とし、この二連形式の一方側の端子群を構成する一次側端子群と二次側端子群に、それぞれ前記塗装機材及び／又は人が接触できるアース棒等の静電気除去用のリード線を接続し、またこの二連形式の他方側の端子群を構成する三次側端子群と四次側端子群に、地中及び／又は次のアースボックスの他方側に接続したアースを接続する構成とした橋梁の塗装装置。
【請求項４】
請求項１に記載のアースボックスを、橋梁の各脚間のブースに設ける構成とした橋梁の塗装装置。
【発明の詳細な説明】
【技術分野】
【０００１】
本発明は、橋梁の塗装装置に関する。
【背景技術】
【０００２】
従来、橋梁の脚、梁、桁、欄干等の塗装する場合には、刷毛塗りによる方法が採用されている。従って、人手と、膨大な時間を要する問題があり、その改良が強く要望されている。しかし、従来の一般的な考え方では、この改良に関連する適当な機具及び／又は塗装方法が見当たらないのが現況である。
【０００３】
上記に鑑み、本発明者は、この種の刷毛塗りの改良として、例えば、液体塗装と橋梁の脚、梁、桁、欄干等（被塗装物）との間に高電位の静電界を形成して塗装する。所謂、スプレーガンによる静電塗装機及び／又は方法が効率的であることを知見した。そして、この液体塗装と通常の品物（被塗装物）との間に高電位の静電界を形成することは比較的容易であるが、この種の被塗装物（以下、主として橋梁の桁に関して説明する）において、この静電界を形成することは、困難視される。
【０００４】
その理由は、第１として、スプレーガンを使用する際に必要とする全ての機具・人・物の静電気除去を確実に行うことが、危険防止の上で必要であるが、この対策を完追するためには、多くの困難を伴うこと、第２として、当業者・作業者等に、このスプレーガンの取扱いに関して、教育と指導とを図ることが必要であること、第３として、外部と区画して形成する囲繞した空間部へのミストコレクターの設置及び／又は略々密閉性を図る作業場所の環境（作業環境）、塗装周辺の生活環境等の確保を図る必要があること等が挙げられる。そして、例えば、全ての機具・人・物の静電気除去を確実に行うとした場合を例にとると、この全ての機具とは、例えば、アースマット、投光器、エアシャワー、静電気コントローラー、コンプレッサー等が挙げられる。これらの多数の機具を確実かつ短絡しないように配線かつ管理することは、極めて困難であり、かつその維持管理に多大な労力と注意を必要とすることから、なかなか実施できないのが現況である。また前記囲繞した空間部を橋梁の桁において確保するには、多大な困難性を伴い、かつ作業環境等の環境維持と、その管理を行うには、また多くの困難性を伴うことが考えられる。
【０００５】
以上で説明した従来の考え方を参照すると、この種のスプレーガンによる静電塗装機(静電塗装装置）及び／又は方法を利用し、桁の塗装を完了することは大変困難視されることが理解できる。
【０００６】
以上のことを考慮にいれて先行文献を調査したが、これに相当する適確な文献が検索できなかった。その理由は、前述した現実の問題が解決されていないことが一因と考えられる。そして、検索の結果による橋梁に関し、関連する文献としては、次に挙げる特開２００３−７５０７４がある（文献（１）とする）。この文献（１）は、発明の名称が「自走式吹き付け装置」であり、その概要は、前後方向に傾動可能で、かつ昇降自在の昇降マストを搭載した自走式車両と、昇降マストに設けた被吹き付け面に向かって吹き付けできる長尺アーム部材でなる吹き付け用アタッチメントとを備え、吹き付け用アタッチメントは、車幅方向に旋回自在とした被吹き付け面に吹き付け剤を吹き付ける吹き付け装置、或いは被吹き付け面の一部の面を整える清掃・カッティング装置の一方の装置として機能する構成であり、コークス炉の炭化室における内壁の損傷を補修する他、鉄橋脚、コンクリート脚、トンネル、又は高所等への薬剤・塗装の吹き付け作業にも使用できる汎用性の高い自走式吹き付け装置を提供することを特徴とする。
【０００７】
【特許文献１】特開２００３−７５０７４
【発明の開示】
【発明が解決しようとする課題】
【０００８】
前述の如く、橋梁の脚、梁、桁、欄干等の塗装する場合には、刷毛塗りを基本とすることから、作業性が劣ること、人手を要すること等の問題点がある。またスプレーガンによる静電塗装装置及び／又は方法は、前述の如く、採用に関するそれぞれの環境が整っていないのが現況である。
【０００９】
尚、文献（１）は、自走式吹き付け装置であり、橋梁の中でも脚の如く、所定の箇所による無人塗装ができる特徴を有する。しかし、その発明の名称の如く、走行可能な場合に限り可能であるので、汎用性に欠けることが考えられる。従って、本発明が意図する梁、桁、又は欄干等の如く、空間に存在する箇所への塗装は、当然、不可能であり、課題を残すものと考えられる。
【課題を解決するための手段】
【００１０】
請求項１の発明は、橋梁の脚、梁、桁、欄干等の塗装箇所を、スプレーガンによる静電塗装装置を利用し、確実、簡易、迅速に作業を進めること、又は周囲の環境、走行、安全性等に障害とならない塗装装置（塗装方法）を提供すること等を意図する。また作業者が、囲繞した空間部において、安心して作業が行え、疲労の少ない塗装装置（塗装方法）を提供すること、業界に福音をもたらすこと等を意図する。そして、リード線が切断等をした際も、安心して作業ができるアースボックス及び／又はリード線を提供すること、又は静電気を除去（放電）し、美麗な塗装と、塗料の効率的な使用を介して環境保護と、経費の削減化を図ること等を意図する。
【００１１】
請求項１は、橋梁の脚、梁、桁、欄干等の塗装箇所を囲繞し、この囲繞した空間部にアースボックスを配置し、このアースボックスの一方側の端子群には、前記囲繞した空間部に配備した多数の塗装機材及び／又は人が接触できるアース棒等の静電気除去用のリード線を接続し、また前記アースボックスの他方側の端子群には、地中及び／又は次のアースボックスの他方側に接続したリード線を接続し、前記一方側の端子群と他方側の端子群とを接続し、前記多数の塗装機材及び／又は人に滞留する静電気を除去しながら塗装する構成とした橋梁の塗装装置である。
【００１２】
請求項２の発明は、請求項１の目的を達成すること、この種の橋梁で、従来、困難視されていた桁の塗装を、静電気を除去し、美麗・確実な塗装と、容易な塗装を図ること、又は塗料の効率的な使用を介して環境保護と、経費の削減化を図ること等を意図する。
【００１３】
請求項２は、請求項１に記載の塗装箇所は、橋梁の桁とする構成とした橋梁の塗装装置である。
【００１４】
請求項３の発明は、請求項１の目的を達成すること、この目的を安全かつ確実に達成できるアースボックスを提供すること、また囲繞した空間部の静電気を確実に除去し、この種の橋梁で、従来、困難視されていた桁の塗装を、静電気を除去し、美麗・確実な塗装と、容易な塗装を図ること、又は塗料の効率的な使用を介して環境保護と、経費の削減化を図ること等を意図する。
【００１５】
請求項３は、請求項１に記載の塗装装置の一方側・他方側の端子群を、それぞれ二連形式とし、この二連形式の一方側の端子群を構成する一次側端子群と二次側端子群に、それぞれ前記塗装機材及び／又は人が接触できるアース棒等の静電気除去用のリード線を接続し、またこの二連形式の他方側の端子群を構成する三次側端子群と四次側端子群に、地中及び／又は次のアースボックスの他方側に接続したアースを接続する構成とした橋梁の塗装装置である。
【００１６】
請求項４の発明は、請求項１の目的を達成すること、この目的を安全かつ確実に達成できるアースボックスを各脚間のブースに設けることで、囲繞した空間部の静電気を確実に放電し、この種の橋梁で、従来、困難視されていた桁の塗装を、静電気を除去し、美麗・確実な塗装と、容易な塗装を図ること、又は塗料の効率的な使用を介して環境保護と、経費の削減化を図ること等を意図する。
【００１７】
請求項４は、請求項１に記載のアースボックスを、橋梁の各脚間のブースに設ける構成とした橋梁の塗装装置である。
【発明の効果】
【００１８】
請求項１の発明は、橋梁の脚、梁、桁、欄干等の塗装箇所を囲繞し、囲繞した空間部にアースボックスを配置し、アースボックスの一方側の端子群には、囲繞した空間部に配備した多数の塗装機材及び／又は人が接触できるアース棒等の静電気除去用のリード線を接続し、またアースボックスの他方側の端子群には、地中及び／又は次のアースボックスの他方側に接続したリード線を接続し、一方側の端子群と他方側の端子群とを接続し、多数の塗装機材及び／又は人に滞留する静電気を除去しながら塗装する橋梁の塗装装置である。
【００１９】
従って、請求項１の発明は、橋梁の脚、梁、桁、欄干等の塗装箇所を、スプレーガンによる静電塗装装置を利用し、確実、簡易、迅速に作業を進め得ること、又は周囲の環境、走行、安全性等に障害とならない塗装装置（塗装方法）を提供できること等の特徴がある。また作業者が、囲繞した空間部において、安心して作業が行え、疲労の少ない塗装装置（塗装方法）を提供できること、業界に福音をもたらす塗装装置を提供できること等の実益がある。そして、リード線が切断等をした際も、安心して作業ができるアースボックス及び／又はリード線の構造を提供できること、又は静電気を除去し、美麗な塗装と、塗料の効率的な使用を介して環境保護と、経費の削減化が図れること等の特徴を有する。
【００２０】
請求項２の発明は、請求項１に記載の塗装箇所は、橋梁の桁とする構成とした橋梁の塗装装置である。
【００２１】
従って、請求項２は、請求項１の目的を達成できること、この種の橋梁で、従来、困難視されていた桁の塗装を、静電気を除去し、美麗・確実な塗装と、容易な塗装が図れること、又は塗料の効率的な使用を介して環境保護と、経費の削減化等が図れること等の特徴を有する。
【００２２】
請求項３の発明は、請求項１の目的を達成できること、この目的を安全かつ確実に達成できるアースボックスを提供できること、また囲繞した空間部の静電気を確実に除去し、この種の橋梁で、従来、困難視されていた桁の塗装を、静電気を除去し、美麗・確実な塗装と、容易な塗装とが図れること、又は塗料の効率的な使用を介して環境保護と、経費の削減化が図れること等の特徴を有する。
【００２３】
請求項３の発明は、請求項１に記載の塗装装置の一方側・他方側の端子群を、それぞれ二連形式とし、二連形式の一方側の端子群を構成する一次側端子群と二次側端子群に、それぞれ塗装機材及び／又は人が接触できるアース棒等の静電気除去用のリード線を接続し、また二連形式の他方側の端子群を構成する三次側端子群と四次側端子群に、地中及び／又は次のアースボックスの他方側に接続したアースを接続する橋梁の塗装装置である。
【００２４】
従って、請求項３は、請求項１の目的を達成できること、この目的を安全かつ確実に達成できるアースボックスを提供できること、また囲繞した空間部の静電気を確実に放電し、この種の橋梁で、従来、困難視されていた桁の塗装を、静電気を除去し、美麗・確実な塗装と、容易な塗装が図れること、又は塗料の効率的な使用を介して環境保護と、経費の削減化が図れること等の特徴を有する。
【００２５】
請求項４の発明は、請求項１に記載のアースボックスを、橋梁の各脚間のブースに設ける構成とした橋梁の塗装装置である。
【００２６】
従って、請求項４は、請求項１の目的を達成できること、この目的を安全かつ確実に達成できるアースボックスを各脚間のブースに設けることで、囲繞した空間部の静電気を確実に放電し、この種の橋梁で、従来、困難視されていた桁の塗装を、静電気を除去し、美麗・確実な塗装と、容易な塗装が図れること、又は塗料の効率的な使用を介して環境保護と、経費の削減化が図れること等の特徴を有する。
【発明を実施するための最良の形態】
【００２７】
本発明の好ましい実施の態様を説明する。先ず、図面について説明すると、図１は橋梁の縮尺平面図、図２は図１の或るブースを示した断面図、図３は或るブースと、この或るブースに隣接する他のブースを上下方向の位置関係で模式的に示した断面図、図４はアースボックスを支持杆に吊下した状態の正面図、図５は図４の蓋を閉塞した状態の正面図、図６は図４の要部の拡大正面図、図６−１はリード線の一例を示した拡大正面図、図７はアースボックスのリード線を桁に支持してアースする状態の拡大斜視図、図８は塗装機材及び／又は塗料収容ケースとアースマットとの関係を示した俯瞰図、図９は塗装機のコンプレッサーを示した俯瞰図、図１０はアース棒と人との関係を示した俯瞰図、図１１は作業者（当業者）のスプレーガンによる塗装の状態を示す斜視図である。
【００２８】
１は橋梁Ａに囲繞した空間部Ｂを形成するための足場で、両欄干Ａ１及び／又は桁Ａ２にそれぞれ設けた対の二段足場１００、１００（以下、対の構造は、一方側で説明する）と、この二段足場１００間に足場ベース１０１を設け、この例では、足場１は導電性の桁Ａ２を塗装するために橋梁Ａの道路の下側Ａ”（道路とは、車道、歩道等を云う）に設ける。またこの足場１は橋梁Ａの長手方向（矢印イ）に各橋脚Ａ３を跨いで連続的に設けられる。本発明では、この足場１の構成は、この図例に限定されないので、例えば、連続等した足場１において、各橋脚Ａ３を単位とし、その適宜位置で仕切り（図示せず）を設ける例、又は各種の構造の足場１において、この足場１を途中で連結する例、また足場１を（各）橋脚Ａとは関係なく設置する例等の各構成が可能である。そして、この足場１には導電シート２及び／又はミストコレクター３を設けて、外気と略々密封し塗料ミストの飛散防止と、環境破壊防止、又は塗料の回収等を図る。また足場１の中には、差渡し足場１０２を桁Ａ２に差渡し及び／又は取外し自在に設け、作業の容易化、安全性の確保、移動の容易化等を図る。尚、二段足場１００間に足場ベース１０１、差渡し足場１０２には、作業者Ｈ（人）が歩行、作業等をする。図中Ａ”は道路の下側を示す。この道路の下側Ａ”に桁Ａ２を設ける。そして、この例では、桁Ａ２を塗装する足場１を説明したが、橋梁Ａの他の箇所、たとえば、欄干Ａ１等の場合には、他の足場（図示せず）を採用する。
【００２９】
４は集合方式のアースボックスで、このアースボックス４は桁Ａ２間のブースＡ２−１に設ける構成を採用し、作業の容易化、安全性の確保、移動の容易化等を図るが一例であり、必要により簡略化することも可能である。そして、このアースボックス４は、蓋４０により開閉自在とする。またこのアースボックス４は、一方側のアース端子群５と、他方側のアース端子群６とで構成するが、望ましくはこの一方側のアース端子群５は、一次側端子群５０と二次側端子群５１とで構成し、またこの他方側のアース端子群６は、三次側端子群６０と四次側端子群６１とで構成したことで、各機具、例えば、アースマット１０、塗装用ケース１１、投光器１２、エアシャワー１３、静電気コントローラー１４、コンプレッサー１５等のリード線Ｃ、Ｃ１（アース線）と、地中アース用のリード線Ｄ、Ｄ１及び／又は他のアースボックス４ａ、４ｂ、４ｃ〜４ｎ用のリード線Ｅ、Ｅ１と整然と区別して取付ける。そして、この例では、リード線Ｃを一次側端子群５０に、またリード線Ｃ１を二次側端子群５１にそれぞれ設け、前記アースマット１０、塗装用ケース１１、投光器１２等で発生（帯電）した静電気を除去（アース）する。尚、このアースは、導電性の連結板１６を介して三次側端子群６０と四次側端子群６１に接続されている。従って、この三次側端子群６０と四次側端子群６１に接続するリード線Ｄ、Ｄ１及び／又は他のアースボックス４ａ、４ｂ、４ｃ〜４ｎ用のリード線Ｅ、Ｅ１を介してアースするか、又は他のアースボックス４ａ、４ｂ、４ｃ〜４ｎにアース（送電）する。このように、一次側端子群５０〜四次側端子群６１とで構成したので、整然と配線できること、間違いをなくし、かつそれ程の経験を持たなくても、接続、修理等の作業ができること、また使用・取扱いの簡便化、迅速化等が図れて重宝すること等の特徴がある。図中Ｆ、Ｆ１はリード線で、このリード線Ｆ、Ｆ１は桁Ａ２に接続する。これによって、三重のアース（地中、他のアースボックス４ａ、４ｂ、４ｃ〜４ｎ、又は桁Ａ２へのアース）により安全を図る。また前記リード線Ｃ、Ｃ１〜Ｆ、Ｆ１の二本構造は、切断時及び／又は端子側の離脱等に起因するトラブルを解消し、二重の安全を図る。そして、このリード線Ｃ、Ｃ１〜Ｆ、Ｆ１は、一方側をナットと穴とによる固定式、他方側を蝶ナットと差込みフックとによる差込み式として、確実な使用、抜け防止及び／又は危険回避、また取替え・保管の容易化を図る。またリード線Ｃ、Ｃ１〜Ｆ、Ｆ１は、色別のカバーを必要により設け、保守、間違い回避等を図る。尚、リード線Ｃ、Ｃ１〜Ｆ、Ｆ１は、ナット、穴等の止具１７を介して容易に着脱できる構造である。図中１８はアース棒、１９は階段、２０はファンで溶剤又はミストを囲繞した空間部Ｂ外に排気し、この囲繞した空間部Ｂの環境の確保、危険性の回避等を図る。尚、アース棒１８は囲繞した空間部Ｂに出入りする人が把持し、体及び／又は衣服の静電気を除去する。図中１９−１は階段１９の入口を模式的に示した。尚、このリード線Ｃ、Ｃ１〜Ｆ、Ｆ１は、簡略化、配線・取扱いの容易化、低コスト化等を意図して単線の場合もあり得る。尚、塗装用ケース１１の底部は導電性である。
【００３０】
図中２１は消火器、２２はスプレーガンを示す。そして、このスプレーガン２２は、リード線Ｃ、Ｃ１を介してアースボックス４ａ、４ｂ、４ｃ〜４ｎの一次・二次側端子群５０・５１にそれぞれ接続する。尚、塗料の混合場所は、塗装場所とは別のブースＡ２−１とする。
【００３１】
そして、この作業では、作業者Ｈ、監視人等の人は導電服、導電靴を使用する。
【００３２】
尚、前述した脚（橋脚Ａ３）、梁、欄干Ａ１等の場合には、原則として、導電性の問題があるので、本発明により塗装装置（塗装方法）を利用して塗装する場合には、導電性を付与することを要する。
【図面の簡単な説明】
【００３３】
【図１】橋梁の縮尺平面図
【図２】図１の或るブースを示した断面図
【図３】或るブースと、この或るブースに隣接する他のブースを上下方向の位置関係で模式的に示した断面図
【図４】アースボックスを支持杆に吊下した状態の正面図
【図５】図４の蓋を閉塞した状態の正面図
【図６】図４の要部の拡大正面図
【図６−１】リード線の一例を示した拡大正面図
【図７】アースボックスのリード線を桁に支持してアースする状態の拡大斜視図
【図８】塗装機材及び／又は塗料収容ケースとアースマットとの関係を示した俯瞰図
【図９】塗装機のコンプレッサーを示した俯瞰図
【図１０】アース棒と人との関係を示した俯瞰図
【図１１】作業者（当業者）のスプレーガンによる塗装の状態を示す斜視図
【符号の説明】
【００３４】
１            足場
１００        二段足場
１０１        足場ベース
１０２        差渡し足場
２            導電シート
３            ミストコレクター
４            アースボックス
４ａ          アースボックス
４ｂ          アースボックス
４ｃ          アースボックス
４ｎ          アースボックス
４０          蓋
５            アース端子群
５０          一次側端子群
５１          二次側端子群
６            アース端子群
６０          三次側端子群
６１          四次側端子群
１０          アースマット
１１          塗装用ケース
１２          投光器
１３          エアシャワー
１４          静電気コントローラー
１５          コンプレッサー
１６          連結板
１７          止具
１８          アース棒
１９          階段
１９−１      入口
２０          ファン
２１          消火器
２２          スプレーガン
Ａ            橋梁
Ａ’          道路の上側
Ａ”          道路の下側
Ａ１          欄干
Ａ２          桁
Ａ２−１      ブース
Ａ３          橋脚
Ｂ            囲繞した空間部
Ｃ            リード線
Ｃ１          リード線
Ｄ            リード線
Ｄ１          リード線
Ｅ            リード線
Ｅ１          リード線
Ｆ            リード線
Ｆ１          リード線
Ｈ            作業者
【図１】
2005319400.tif 000003
【図２】
2005319400.tif 000004
【図３】
2005319400.tif 000005
【図４】
2005319400.tif 000006
【図５】
2005319400.tif 000007
【図６】
2005319400.tif 000008
【図６−１】
2005319400.tif 000009
【図７】
2005319400.tif 000010
【図８】
2005319400.tif 000011
【図９】
2005319400.tif 000012
【図１０】
2005319400.tif 000013
【図１１】
2005319400.tif 000014